(57)【要約】【課題】待機時の消費電力を低減するＸ線コンピュータ断層撮影装置提供すること。【解決手段】検知部６７１は、Ｘ線管１３１とＸ線検出器１５１とを有する架台１０が、スリープ状態であることを検知する。判定部６７３は、画像処理を行うコンソール５０の複数の構成要素がスリープ状態であることを判定する。スリープ処理部６７５は、検知部６７１が架台のスリープ状態を検知しかつ判定部６７３が複数の構成要素をスリープ状態と判定した場合、コンソールにおける複数の構成要素を順次稼働状態からスリープ状態に移行させる。【選択図】図１
2017064271.tif 000002
【特許請求の範囲】
【請求項１】
Ｘ線管とＸ線検出器とを有する架台が、スリープ状態であることを検知する検知部と、
画像処理を行うコンソールの複数の構成要素がスリープ状態であることを判定する判定部と、
前記検知部が前記架台のスリープ状態を検知しかつ前記判定部が前記複数の構成要素をスリープ状態と判定した場合、前記コンソールにおける前記複数の構成要素を順次稼働状態からスリープ状態に移行させるスリープ処理部と、
を備えるＸ線コンピュータ断層撮影装置。
【請求項２】
前記コンソールの前記複数の構成要素は、
ディスプレイと、
データ収集および前処理を行うスキャン系回路と、
前記スキャン系回路により発生されたデータを再構成するための再構成サーバと、
前記コンソールにおける前記複数の構成要素との間でデータを送受信するホストサーバとを含む、請求項１記載のＸ線コンピュータ断層撮影装置。
【請求項３】
前記コンソールの周囲における所定の範囲内への人の有無を検知する人感センサをさらに備え、
前記スリープ処理部は、前記コンソールに対して所定の時間操作がないことまたは前記人感センサが前記所定の範囲内に人がいないと検知したことを契機として、前記ディスプレイを稼働状態からスリープ状態に遷移させる、請求項２記載のＸ線コンピュータ断層撮影装置。
【請求項４】
前記スリープ処理部は、前記ディスプレイが稼働状態からスリープ状態に遷移した状態において、前記検知部が前記架台のスリープ状態への遷移を検知しかつ前記人感センサが前記所定の範囲内に人がいないと検知したことを契機として、前記スキャン系回路を稼働状態からスリープ状態に遷移させる、請求項３記載のＸ線コンピュータ断層撮影装置。
【請求項５】
前記スリープ処理部は、前記スキャン系回路が稼働状態からスリープ状態に遷移した状態において、前記再構成サーバが所定の時間再構成を行っておらずかつ前記人感センサが前記所定の範囲内に人がいないと検知したことを契機として、前記再構成サーバを稼働状態からスリープ状態に遷移させる、請求項４記載のＸ線コンピュータ断層撮影装置。
【請求項６】
前記スリープ処理部は、前記再構成サーバが所定の時間再構成を行っておらずかつ前記人感センサが前記所定の範囲内に人がいないと検知している状態が継続し、所定のスリープ時刻になったことを契機として前記ホストサーバを稼働状態からスリープ状態に遷移させる、請求項５記載のＸ線コンピュータ断層撮影装置。
【請求項７】
前記コンソールは、所定の再起動時刻になったことを契機としてディスプレイ、スキャン系回路、再構成サーバおよびホストサーバを再起動させる再起動回路をさらに備える、請求項６記載のＸ線コンピュータ断層撮影装置。
【請求項８】
前記スリープ処理部は、ディスプレイ、スキャン系回路、再構成サーバおよびホストサーバに関する前記再起動が行われた後、ディスプレイ、スキャン系回路、再構成サーバおよびホストサーバをスリープ状態に検知させる、請求項７記載のＸ線コンピュータ断層撮影装置。
【請求項９】
前記スリープ処理部は、前記人感センサが前記所定の範囲内に人がいることを検知したことを契機として、ディスプレイ、スキャン系回路、再構成サーバおよびホストサーバをスリープ状態から稼働状態に遷移させる、請求項８記載のＸ線コンピュータ断層撮影装置。
【請求項１０】
前記コンソールは、前記複数の回路を稼働状態からスリープ状態にする指示の入力を受け付けるための入力部をさらに備え、
前記入力部を介した指示の入力に応じて、ディスプレイ、スキャン系回路、再構成サーバおよびホストサーバをそれぞれ稼働状態からスリープ状態に遷移させる、請求項２記載のＸ線コンピュータ断層撮影装置。
【発明の詳細な説明】
【技術分野】
【０００１】
本発明の実施形態は、Ｘ線コンピュータ断層撮影装置に関する。
【背景技術】
【０００２】
Ｘ線コンピュータ断層撮影装置（Ｃｏｍｐｕｔｅｄ＿Ｔｏｍｏｇｒａｐｈｙ：ＣＴ）において、システム起動後はシステム待機時においてもコンソール内のユニットは常時通電され、システム起動状態を維持する。具体的には例えば深夜など、医師が帰宅し撮影が一切行われない時間帯にも装置のコンソール内のユニットは常時通電されている。したがって、病院にとってＸ線ＣＴ装置運用にかかる消費電力は大きい。
【先行技術文献】
【特許文献】
【０００３】
【特許文献１】特開２０１４−２３３５５６号公報
【発明の概要】
【発明が解決しようとする課題】
【０００４】
目的は、待機時の消費電力を低減するＸ線コンピュータ断層撮影装置を提供することにある。
【課題を解決するための手段】
【０００５】
本実施形態に係るＸ線コンピュータ撮影装置は、Ｘ線管とＸ線検出器とを有する架台が、スリープ状態であることを検知する検知部と、画像処理を行うコンソールの複数の構成要素がスリープ状態であることを判定する判定部と、前記検知部が前記架台のスリープ状態を検知しかつ前記判定部が前記複数の構成要素をスリープ状態と判定した場合、前記コンソールにおける前記複数の構成要素を順次稼働状態からスリープ状態に移行させるスリープ処理部と、を具備する。
【図面の簡単な説明】
【０００６】
【図１】図１は、本実施形態に係るＸ線コンピュータ断層撮影装置の構成を示す図である。
【図２】図２は、図３のフローチャートにおける分岐条件を示す表である。
【図３】図３は、システム制御部の制御のもとに行われる、架台およびコンソール内の各ユニットの稼働状態からスリープ状態への移行の典型的な流れを示す図である。
【図４】図４は、本実施形態における人感センサ８１の設置と検知範囲を示す図である。
【図５】図５は、図３の流れの分岐Ａを示す図である。
【図６】図６は、図３の流れの分岐Ｂを示す図である。
【図７】図７は、図３の流れの分岐Ｃを示す図である。
【図８】図８は、図３の流れの分岐Ｄを示す図である。
【図９】図９は、変形例に係る、架台およびコンソール内の各ユニットの稼働状態からスリープ状態への移行の典型的な流れを示す図である。
【発明を実施するための形態】
【０００７】
以下、図面を参照しながら本実施形態に係わるＸ線コンピュータ断層撮影装置（Ｃｏｍｐｕｔｅｄ＿Ｔｏｍｏｇｒａｐｈｙ：以下、Ｘ線ＣＴ装置と呼ぶ）を説明する。なお、以下の説明において、略同一の機能及び構成を有する構成要素については、同一符号を付し、重複説明は必要な場合にのみ行う。
【０００８】
図１は、本実施形態に係るＸ線ＣＴ装置１の構成を示す図である。図１に示すように、本実施形態に係るＸ線ＣＴ装置１は、架台１０とコンソール５０とを備えている。架台１０は、円筒形状を有する回転フレーム１１を回転軸Ｚ回りに回転可能に支持している。回転フレーム１１には、回転軸Ｚを挟んで対向するようにＸ線発生部１３とＸ線検出部１５とが取り付けられている。回転フレーム１１の開口部（ｂｏｒｅ）にはＦＯＶ（ｆｉｅｌｄ＿ｏｆ＿ｖｉｅｗ）が設定される。回転フレーム１１の開口部内には天板１７が挿入される。天板１７には被検体Ｓが載置される。天板１７に載置された被検体Ｓの撮像部位がＦＯＶ内に含まれるように天板１７が位置決めされる。回転フレーム１１は、回転駆動部１９からの動力を受けて回転軸Ｚ回りに一定の角速度で回転する。回転駆動部１９は、架台制御部２１からの制御信号に従って回転フレーム１１を回転させるための動力を発生する。
【０００９】
Ｘ線発生部１３は、架台制御部２１からの制御信号に従ってＸ線を発生する。具体的には、Ｘ線発生部１３は、Ｘ線管１３１と高電圧発生器１３３とを有する。Ｘ線管１３１は、高電圧発生器１３３からの高電圧の印加とフィラメント電流の供給とを受けてＸ線を発生する。高電圧発生器１３３は、架台制御部２１からの制御信号に従う高電圧をＸ線管１３１に印加し、架台制御部２１からの制御信号に従うフィラメント電流をＸ線管１３１に供給する。
【００１０】
Ｘ線検出部１５は、Ｘ線管１５１とデータ収集回路（Ｄａｔａ＿Ａｃｑｕｉｓｉｔｉｏｎ＿Ｓｙｓｔｅｍ：ＤＡＳ）１５３とを有する。Ｘ線管１５１は、Ｘ線管１３１から発生され被検体Ｓを透過したＸ線を検出する。Ｘ線管１５１は、２次元状に配列された複数の放射線検出素子を搭載する。データ収集回路１５３は、Ｘ線管１５１の各チャンネルから出力される透過Ｘ線の強度に応じた信号をデジタル信号に変換する。このデジタル信号は、生データと呼ばれている。
【００１１】
架台制御部２１は、ハードウェア資源として、ＣＰＵ（Ｃｅｎｔｒａｌ＿Ｐｒｏｃｅｓｓｉｎｇ＿Ｕｎｉｔ）やＭＰＵ（Ｍｉｃｒｏ＿Ｐｒｏｃｅｓｓｉｎｇ＿Ｕｎｉｔ）等の演算装置（プロセッサ）とＲＯＭ（Ｒｅａｄ＿Ｏｎｌｙ＿Ｍｅｍｏｒｙ）やＲＡＭ（Ｒａｎｄｏｍ＿Ａｃｃｅｓｓ＿Ｍｅｍｏｒｙ）等の記憶装置（メモリ）とを有する。架台制御部２１は、架台１０に搭載された各種機器の制御を統括する。例えば、架台制御部２１は、被検体Ｓを対象としたＣＴ撮像を実行するために、Ｘ線発生部１３、Ｘ線検出部１５、及び回転駆動部１９を制御する。回転駆動部１９は、架台制御部２１による制御に従う一定の角速度で回転する。架台制御部２１は高電圧発生器１３３を制御し、Ｘ線管１５１にＸ線を発生させる。
【００１２】
コンソール５０は、スキャン系回路５１、再構成サーバ５３、画像処理部５５、ホストサーバ５７、Ｉ／Ｆ（Ｉｎｔｅｒｆａｃｅ）部５９、ディスプレイ６１、入力部６３、記憶部６５、およびシステム制御部６７を有する。
【００１３】
スキャン系回路５１は、データ収集回路１５３から出力された生データをコンソール５０に取り込み、再構成のための前処理を行う。スキャン系回路５１は、収集部５１１と前処理部５１３とを有する。収集部５１１は、データ収集回路１５３から出力された生データをコンソール５０に取り込み一時記憶する。前処理部５１３は、収集部５１１に記憶された生データを前処理し、投影データに変換する。
【００１４】
再構成サーバ５３は、ハードウェア資源として、ＣＰＵやＭＰＵ、ＧＰＵ（Ｇｒａｐｈｉｃｓ＿Ｐｒｏｃｃｅｓｓｉｎｇ＿Ｕｎｉｔ）等のプロセッサとＲＯＭやＲＡＭ等のメモリとを有する。再構成サーバ５３は、前処理部５１３で前処理された投影データに基づいて、ボリュームデータを発生する。
【００１５】
画像処理部５５は、ハードウェア資源として、ＣＰＵやＭＰＵ、ＧＰＵ等のプロセッサとＲＯＭやＲＡＭ等のメモリとを有する。画像処理部５５は、再構成サーバ５３で発生されたボリュームデータに基づいて、ボリュームデータまたはボリューム画像の画像処理を行う。
【００１６】
ホストサーバ５７は、ハードウェア資源として、ＣＰＵやＭＰＵ、ＧＰＵ等のプロセッサとＲＯＭやＲＡＭ等のメモリとを有する。ホストサーバ５７は、コンソール５０における複数の構成要素との間でデータを送受信する。
【００１７】
Ｉ／Ｆ部５９は、コンソール５０と架台１０との間の通信のためのインタフェースである。例えば、Ｉ／Ｆ部５９は、システム制御部６７から撮像開始信号や撮像停止信号等を供給する。
【００１８】
ディスプレイ６１は、各種画像を表示機器に表示する。ディスプレイ６１は、画像と位置整合してマークや線表等を表示する。表示機器としては、例えばＣＲＴディスプレイや、液晶ディスプレイ、有機ＥＬディスプレイ、プラズマディスプレイ等が適宜利用可能である。
【００１９】
入力部６３は、入力機器によるユーザからの各種指令や情報入力を受け付ける。入力機器としては、キーボードやマウス、各種スイッチ等が利用可能である。
【００２０】
記憶部６５は、種々の情報を記憶する記憶装置である。例えば、記憶部６１は、本実施形態に係る画像処理プログラム等を記憶する。
【００２１】
システム制御部６７は、本実施形態に係るＸ線コンピュータ断層撮影装置の中枢として機能する。システム制御部６７は、本実施形態に係る撮像プログラムを記憶部６５から読み出し、当該撮像プログラムに従って各種構成要素を制御する。これにより、本実施形態に係る断面画像等の画像発生のためのＣＴ撮像および画像処理が行われる。またシステム制御部６７は、検知部６７１と判定部６７３とスリープ処理部６７５とを有する。検知部６７１は、架台１０がスリープ状態であることを検知する。判定部６７３は、コンソール５０の複数の構成要素がスリープ状態であることを判定する。スリープ処理部６７５は、検知部６７１が架台１０のスリープ状態を検知しかつ判定部６７３が複数の構成要素をスリープ状態と判定した場合、コンソール５０における複数の構成要素を順次稼働状態からスリープ状態に移行させる。
【００２２】
次に本実施形態に係る、架台１０およびコンソール５０中の各ユニットのスリープ移行の動作例を説明する。図２は、図３のフローチャートにおける分岐条件を示す表である。図３は、システム制御部６７の制御のもとに行われる、架台１０およびコンソール５０内の各ユニットの稼働状態からスリープ状態への移行の典型的な流れを示す図である。以下の説明において、スリープ状態とは当該ユニットが起動中ではなくスタンバイの状態で、消費電力が少ない状態のことを示す。
【００２３】
まずシステム制御部６７は判定部６７３に、条件１（一定時間操作がない）かつ条件２（周囲に人がいない）が満たされるか否かを判定する（ステップＳ１）。ステップＳ１において周囲に人がいないことは、人感センサ８１等によって判定される。図４は、本実施形態における人感センサ８１の設置と検知範囲を示す図である。人感センサ８１は例えば、図４のようにコンソールの下部に設置される。人感センサ８１は、コンソールの周囲における所定の範囲ＲＥ内への人の有無を検知する。一定時間は予め決定され記憶部６５に記憶される。
【００２４】
ステップＳ１においてＹＥＳと判定されると、システム制御部６７はスリープ回路６７５に、ディスプレイ６１をスリープさせる（ステップＳ２）。
【００２５】
ステップＳ２が行われると、システム制御部６７は検知部６７１および判定部６７３に、条件２（周囲に人がいない）かつ条件７（架台がスリープ状態）が満たされるか否かを判定する（ステップＳ３）。ステップＳ３において、架台がスリープ状態とは、架台への給電を止めモータ等を動作させない状態を意味する。ここで架台がスリープ状態ということは、コンソールにおける複数のユニットも動作しないということである。したがって、架台がスリープ状態である場合、コンソールにおける複数のユニットを順次稼働状態からスリープ状態に移行させる。
【００２６】
ステップＳ３においてＹＥＳと判定されると、システム制御部６７はスリープ回路６７５に、スキャン系回路５１をスリープさせる（ステップＳ４）。
【００２７】
ステップＳ３においてＮＯと判定されると、システム制御部６７は、丸印Ａから分岐する図４の判定および動作を行わせる。図５は、図３の流れの分岐Ａを示す図である。図５において、システム制御部６７は判定部６７３に、条件１（一定時間操作がない）が満たされるか否かを判定させる（ステップＳＡ１）。ステップＳＡ１においてＹＥＳと判定された場合、システム制御部６７はスリープ回路６７５に、ディスプレイ６１をスリープさせる（ステップＳＡ２）。ステップＳＡ１においてＮＯと判定された場合、システム制御部６７はスリープ回路６７５に、ディスプレイ６１のスリープを解除させる（ステップＳＡ３）。
【００２８】
ステップＳ４が行われると、システム制御部６７は判定部６７３に、条件２（周囲に人がいない）かつ条件８（一定時間処理無し）が満たされるか否かを判定する（ステップＳ５）。
【００２９】
ステップＳ５においてＹＥＳと判定されると、システム制御部６７はスリープ回路６７５に、再構成サーバ５３をスリープさせる（ステップＳ６）。
【００３０】
ステップ５においてＮＯと判定されると、システム制御部６７は、丸印Ｂから分岐する図５の判定および動作を行わせる。図６は、図３の流れの分岐Ｂを示す図である。図６において、システム制御部６７は、スキャン系回路５１を復旧させる信号を各ユニットに送信する（ステップＳＢ１）。ステップＳＢ１が行われると、システム制御部６７は判定部６７３に、条件１（一定時間操作がない）が満たされるか否かを判定させる（ステップＳＢ２）。ステップＳＢ２においてＹＥＳと判定された場合、システム制御部６７は、ディスプレイ６１をスリープさせる（ステップＳＢ３）。ステップＳＢ２においてＮＯと判定された場合、システム制御部６７はスリープ回路６７５に、ディスプレイ６１のスリープを解除させる（ステップＳＢ４）。
【００３１】
ステップＳ６が行われると、システム制御部６７は判定部６７３に、条件２（周囲に人がいない）かつ条件８（一定時間処理無し）が満たされるか否かを判定させる（ステップＳ７）。ステップＳ７においてＮＯと判定されると、システム制御部６７は、丸印Ｃから分岐する図６の判定および動作を行わせる。図７は、図３の流れの分岐Ｃを示す図である。図７において、システム制御部６７は、再構成サーバ５３およびスキャン系回路５１を復旧させる信号を各ユニットに送信する（ステップＳＣ１）。ステップＳＣ１が行われると、システム制御部６７は判定部６７３に、条件１（一定時間操作がない）が満たされるか否かを判定させる（ステップＳＣ２）。ステップＳＣ２においてＹＥＳと判定された場合、システム制御部６７はスリープ回路６７５に、ディスプレイ６１をスリープさせる（ステップＳＣ３）。ステップＳＣ２においてＮＯと判定された場合、システム制御部６７は、ディスプレイ６１のスリープを解除させる（ステップＳＣ４）。
【００３２】
ステップＳ７においてＹＥＳと判定されると、システム制御部６７は、条件３（夜間待機時間到達）を満たすか否かを判定する（ステップＳ８）。条件３の夜間待機時間として、ホストサーバを夜間の待機動作を開始する時間が予め設定され、記憶部６５に記憶されている。
【００３３】
ステップＳ８においてＹＥＳと判定されると、システム制御部６７はスリープ回路６７５に、ホストサーバ５７をスリープさせる（ステップＳ９）。
【００３４】
ステップＳ８においてＮＯと判定されると、システム制御部６７は、丸印Ｄから分岐する図７の判定および動作を行わせる。図８は、図３の流れの分岐Ｄを示す図である。システム制御部６７は、システム全体を復旧させる信号を各ユニットに送信する（ステップＳＤ１）。図８において、システム制御部６７は判定部６７３に、条件１（一定時間操作がない）が満たされるか否かを判定させる（ステップＳＤ２）。ステップＳＤ２においてＹＥＳと判定された場合、システム制御部６７はスリープ回路６７５に、ディスプレイ６１をスリープさせる（ステップＳＤ３）。ステップＳＤ２においてＮＯと判定された場合、システム制御部６７はスリープ回路６７５に、ディスプレイ６１のスリープを解除させる（ステップＳＤ４）。
【００３５】
ステップＳ９が行われると、システム制御部６７は、条件４（リフレッシュ時間到達）を満たすか否かを判定する（ステップＳ１０）。条件４として、全ユニットを再起動するためのリフレッシュ時間が予め設定され記憶部６５に記憶されている。
【００３６】
ステップＳ１０においてＹＥＳと判定されると、システム制御部６７は、全ユニットを再起動させる（ステップＳ１１）。
【００３７】
ステップＳ１１が行われると、システム制御部６７は、全ユニットをスリープさせる（ステップＳ１２）。
【００３８】
ステップＳ１２が行われると、システム制御部６７は、条件２（周囲に人がいない）を満たすか否かを判定する（ステップＳ１３）。
【００３９】
ステップＳ１３においてＹＥＳと判定されると、システム制御部６７は、システムを全復旧させる（ステップＳ１４）。
【００４０】
上記のとおり、本実施形態に係るＸ線コンピュータ断層撮影装置によれば、深夜や待機時などのＸ線コンピュータ断層撮影装置を使用しない時間帯に、自動的にコンソール内の各ユニットを稼働状態からスリープ状態に遷移させることができる。さらに例えば朝に人が来たときに、コンソール内の各ユニットを自動的に全復旧させることができる。したがって、待機時の消費電力を低減することが可能となる。
【００４１】
（変形例）
上記実施形態において、コンソールにおける各ユニットの稼働状態からスリープ状態への遷移は、全て自動で行った。しかしながら操作者がスリープボタンを介してシステム制御部にスリープ指示を出すことによっても同様にコンソールにおける各ユニットの稼働状態からスリープ状態への遷移が実行できる。
【００４２】
図９は、変形例に係る、架台およびコンソール内の各ユニットの稼働状態からスリープ状態への移行の典型的な流れを示す図である。
【００４３】
まず、システム制御部６７は、条件６（スリープボタン押下）が満たされるか否かを判定する（ステップＳＥ１）。ステップＳＥ１においてＹＥＳと判定されると、図１のステップＳ２、ステップＳ４、ステップＳ６およびステップＳ９のスリープ遷移が順次行われる。その後、ステップＳ１０乃至ステップＳ１４のリフレッシュおよび全ユニットの復旧が行われる。
【００４４】
上記のとおり、変形例に係るＸ線コンピュータ断層撮影装置によれば、深夜や待機時などのＸ線コンピュータ断層撮影装置を使用しない時間帯に、操作者がスリープボタンを押下することにより各ユニットを稼働状態からスリープ状態に遷移させることができる。さらに例えば朝に人が来たときに、コンソール内の各ユニットを自動的に全復旧させることができる。したがって、待機時の消費電力を低減することが可能となる。
【００４５】
（総括）
上記の説明の通り、本実施形態に係るＸ線コンピュータ断層撮影装置は、検知部６７１、判定部６７３およびスリープ処理部６７５を有する。検知部６７１は、架台１０スリープ状態であることを検知する。判定部６７３は、画像処理を行うコンソールの複数の構成要素がスリープ状態であることを判定する。スリープ処理部６７５は、検知部６７１が架台１０のスリープ状態を検知しかつ判定部６７３が複数の構成要素をスリープ状態と判定した場合、コンソール５０における複数の構成要素を順次稼働状態からスリープ状態に移行させる。
【００４６】
上記の構成により、本実施形態に係るＸ線コンピュータ断層撮影装置は、深夜や待機時などのＸ線コンピュータ断層撮影装置を使用しない時間帯に、コンソール内の各ユニットを稼働状態からスリープ状態に遷移させることができる。さらに例えば朝に人が来たときに、コンソール内の各ユニットを自動的に全復旧させることができる。したがって、待機時の消費電力を低減することが可能となる。
【００４７】
なお、上記説明において用いた「プロセッサ」という文言は、例えば、専用又は汎用のprocessor, circuit (circuitry), processing circuit (circuitry), operation circuit (circuitry), arithmetic circuit(circuitry)或いは、特定用途向け集積回路（Application Specific Integrated Circuit : ASIC）、プログラマブル論理デバイス（例えば、単純プログラム論理デバイス(Simple Programmable Logic Device : SPLD)）、復号プログラマブル論理デバイス(Complex Programmable Logic Device : CPLD)）、及びフィールドプログラマブルゲートアレイ(Field Programmable Gate Array : FPGA)）等を意味する。また、本実施形態の各構成要素（各処理部）は、単一のプロセッサに限らず、複数のプロセッサによって実現するようにしてもよい。さらに、複数の構成要素（複数の処理部）を、単一のプロセッサによって実現するようにしてもよい。
【００４８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれるものである。
【符号の説明】
【００４９】
１…Ｘ線コンピュータ断層撮影装置、１０…架台、１１…回転フレーム、１３…Ｘ線発生部、１５…Ｘ線検出部、１７…天板、１９…回転駆動部、２１…架台制御部、５０…コンソール、５１…スキャン系回路、５３…再構成サーバ、５５…画像処理部、５７…ホストサーバ、５９…Ｉ／Ｆ部、６１…ディスプレイ、６１…記憶部、６３…入力部、６５…記憶部、６７…システム制御部、８１…人感センサ
【図１】
2017064271.tif 000003
【図２】
2017064271.tif 000004
【図３】
2017064271.tif 000005
【図４】
2017064271.tif 000006
【図５】
2017064271.tif 000007
【図６】
2017064271.tif 000008
【図７】
2017064271.tif 000009
【図８】
2017064271.tif 000010
【図９】
2017064271.tif 000011